(57)【要約】      （修正有）【課題】コンピュータシステムに容易、迅速、且つ効率的に取り外し又は取り付けることができるハードディスクを提供する。【解決手段】計算装置は、ハードディスクスロットに挿入して、取り外し可能のハードディスクキャリア装置１００を備える。ハードディスクキャリア装置は、ブラケット１０２と、ハンドル１２０と、ハードディスクを固定するようにブラケットにスライド可能に取り付けられるハウジングを備える。ハンドルは、そこから延出する第二ロック部材を有すると共に第一ロック部材を収容してハードディスクキャリア装置の垂直運動を制限する。ハンドルがロード位置にある場合に、第一ロック部材は第二ロック部材に係合され、ハンドルがロード位置からロック位置に切り替える場合に、ブラケットはハウジングに対して移動してブラケット内のハードディスクを固定し、且つハードディスクのコネクタをハードディスクスロットのコネクタに接続する。【選択図】図１Ａ
2018113094.tif 000002
【特許請求の範囲】
【請求項１】
少なくとも１つのハードディスクスロットと、取り外し可能に前記少なくとも１つのハードディスクスロットに挿入されるハードディスクキャリアとを備える計算装置であって、
前記少なくとも１つのハードディスクスロットは、ハードディスクの対応コネクタに係合する少なくとも１つのコネクタと、第一ロック部材とを備え、
前記ハードディスクキャリアは、ブラケットと、ハウジングと、ハンドルとを備え、
前記ブラケットは、前記ハードディスクを収容空間に固定するように構成され、且つ前記ブラケットから延出すると共に前記少なくとも１つのハードディスクスロットの前記第一ロック部材を収容するように構成される第二ロック部材を備え、前記第二ロック部材が前記第一ロック部材に係合する場合に、取り外し可能の前記ハードディスクキャリアの垂直運動を制限し、
前記ハウジングは、スライド可能に前記ブラケットに取り付けられ、
前記ハンドルは、前記ブラケットの一端に機械的に取り付けられ、且つ前記ハウジングに枢動可能に取り付けられ、ロード位置とロック位置との間に切り替え可能に構成され、
前記ハンドルが前記ロード位置にある場合に、前記第二ロック部材は前記第一ロック部材に係合され、前記ハンドルが前記ロード位置から前記ロック位置に切り替えた場合に、前記ブラケットは前記ハードディスクを固定するように前記ハウジングに対して移動され、且つ前記ハードディスクの前記対応コネクタを前記少なくとも１つのハードディスクスロットの前記少なくとも１つのコネクタに接続することを特徴とする、計算装置。
【請求項２】
前記第二ロック部材は、フック部を備え、前記第一ロック部材は、前記フック部に係合するように構成されるノブを備えることを特徴とする、請求項１に記載の計算装置。
【請求項３】
前記ブラケットは、前記ハードディスクを前記収容空間に収容及び固定するように構成される複数のガイドピンを備えることを特徴とする、請求項１または２に記載の計算装置。
【請求項４】
前記ハンドルは、前記ハンドルを前記ロック位置に固定するように構成されるラッチを備えることを特徴とする、請求項１〜３のいずれか１項に記載の計算装置。
【請求項５】
前記ハンドルは、リンケージによって前記ブラケットの一端に枢動可能に取り付けられることを特徴とする、請求項１〜４のいずれか１項に記載の計算装置。
【請求項６】
ブラケットと、ハウジングと、ハンドルとを備えるハードディスクキャリアであって、
前記ブラケットは、ハードディスクを収容空間に固定するように構成され、且つ前記ブラケットから延出すると共に少なくとも１つのハードディスクスロットを備える計算装置の第二ロック部材を収容するように構成される第一ロック部材を備え、前記少なくとも１つのハードディスクスロットは、前記ハードディスクの対応コネクタに係合する少なくとも１つのコネクタを備え、
前記ハウジングは、スライド可能に前記ブラケットに取り付けられ、
前記ハンドルは、前記ブラケットの一端に枢動可能に取り付けられ、ロード位置とロック位置との間に切り替え可能に構成され、
前記ハンドルが前記ロード位置にある場合に、前記第一ロック部材は前記第二ロック部材に係合され、前記ハンドルが前記ロード位置から前記ロック位置に切り替えた場合に、前記ブラケットは前記ハードディスクを固定するように前記ハウジングに対して移動され、且つ前記ハードディスクの前記対応コネクタを前記少なくとも１つのハードディスクスロットの前記少なくとも１つのコネクタに接続することを特徴とする、ハードディスクキャリア。
【請求項７】
前記ハンドルは、前記ハンドルを前記ロック位置に固定する少なくとも１つのラッチを備えることを特徴とする、請求項６に記載のハードディスクキャリア。
【請求項８】
前記第二ロック部材は、フック部を備え、且つ前記第一ロック部材は、前記フック部に係合するように構成されるノブを備えることを特徴とする、請求項６または７に記載のハードディスクキャリア。
【請求項９】
前記ブラケットは、前記ハードディスクを前記収容空間に収容及び固定するように構成される複数のガイドピンを備えることを特徴とする、請求項６〜８のいずれか１項に記載のハードディスクキャリア。
【請求項１０】
前記ハンドルは、リンケージによって前記ブラケットの一端に枢動可能に取り付けられることを特徴とする、請求項６〜９のいずれか１項に記載のハードディスクキャリア。
【発明の詳細な説明】
【技術分野】
【０００１】
本発明は一種のハードディスクキャリアに係り、特に一種のコンパクト且つ工具が不要なハードディスクキャリア及び計算装置に関する。
【背景技術】
【０００２】
ハードディスク・ドライブ（Ｈａｒｄ  ｄｉｓｋ  ｄｒｉｖｅｓ，  ＨＤＤｓ）は、現在のコンピュータシステムにおいて、比較的大量のデータを格納するために使用される。ハードディスク・ドライブ（以下、「ハードディスク」とも書く）は、例えば、アーカイブされたテープコピーにアクセスする場合と比較し、使用者が短時間内に大量のデータをアクセスする場合に特に便利である。また、ハードディスクが安価になると共に、より大きい記憶容量が提供されることで、この応用もさらに広範になる。また、ビデオキャプチャ又はデジタル画像ストーレッジなどの新技術が普及してきているため、大容量のハードディスクは、コンピュータシステムにおいて、その重要性が高まり続けてきている。
【０００３】
現在、コンピュータシステムからハードディスクを取り外すには、工具が必要であり、ケーブルをケーブルソケットから引抜くことも必要である。時間の経過又は不適正な使用により、ケーブル又はソケットが脆くなり、ハードディスクのデータ転送エラーが発生する可能性がある。
【０００４】
さらに、コンピュータデータセンタ（インターネットデータセンタ又は企業データセンタとも呼ばれる）は、様々なハードディスクを使用する多数のコンピュータシステムを含みうる。データセンタ内の多数の大容量ハードディスクは、取り外し又は取り付けることに関連する重大な問題を引き起こす。データセンタにおいてハードディスクを取り外したり、又は取り付けたりする際に、損傷を起こさないようにするため、必要な時間と手間がかなりの負担になる。
【発明の概要】
【発明が解決しようとする課題】
【０００５】
したがって、例えば、データバックアップ又はハードディスク交換など様々な理由で、コンピュータシステムに容易、迅速、且つ効率的にハードディスクを取り外し又は取り付けることは、非常に重要になっている。
【課題を解決するための手段】
【０００６】
本発明の実施例は、一種のコンパクト且つ工具不要なハードディスクキャリア装置に関する。様々な実施例による計算装置は、少なくとも１つのハードディスクスロットを備えるハウジングと、少なくとも１つのハードディスクスロットは、ハードディスクの対応コネクタに係合するための少なくとも１つのコネクタと、第一ロック部材とを備えることができる。計算装置は、少なくとも１つのハードディスクスロットに取り外し可能に挿入するハードディスクキャリア装置をさらに含むことができる。
【０００７】
ハードディスクキャリア装置は、ハードディスクを収容空間に固定するブラケットと、スライド可能にブラケットに接続するハウジングとハンドルとを備え、ハンドルは、それから延出するハードディスクスロットの第一ロック部材を収容するように構成される第二ロック部材を有し、且つ第二ロック部材が第一ロック部材に係合する場合に、取り外し可能なハードディスクキャリア装置の垂直運動を制限するように構成されることができる。
【０００８】
ハンドルは、機械的にブラケットの一端に取り付けられ、且つロード位置とロック位置との間に切り替えるように構成される。また、ハンドルは枢動可能にハウジングに取り付けられるため、ハウジングがブラケットに対しては固定である。ハンドルは、ハードディスクをブラケットに固定するためにロード位置にある場合に、第二ロック部材が第一ロック部材に係合する。また、ハンドルがロード位置からロック位置に切り替えられた場合に、ハードディスクのコネクタは、少なくとも１つのハードディスクスロットの少なくとも１つのコネクタに接続する。
【０００９】
計算装置の例示的な実施例では、第一ロック部材はフック部であり、第二ロック部材は前記フック部に係合するように構成されるノブであっても良い。計算装置の他の実施例では、第二ロック部材はフック部であり、第一ロック部材は、前記フック部に係合するように構成されるノブであっても良い。
【００１０】
計算装置の例示的な実施例では、ブラケットは、ハードディスクを収容空間に収容及び固定する複数のガイドピンを有する。また、計算装置の例示的な実施例では、ブラケットは、ハードディスクを収容する収容空間と、ハードディスクを収容空間に固定するためにハードディスクの複数の窪みに対応する収容空間に延出する複数の突出部とを有することができる。
【００１１】
計算装置はハンドルをロック位置に固定するように構成される少なくとも１つのラッチを有することができる。
【図面の簡単な説明】
【００１２】
【図１Ａ】本開示の実施例によるハードディスクキャリア装置の上面斜視図である。
【図１Ｂ】本開示の実施例によるハードディスクキャリア装置の底面斜視図である。
【図１Ｃ】本開示の実施例によるハードディスクキャリア装置の上面図である。
【図１Ｄ】本開示の実施例によるハードディスクキャリア装置の底面図である。
【図２】図１Ａ〜図１Ｄを説明するための、ハードディスクをハードディスクキャリア装置に固定する前の概略図である。
【図３】図１Ａ〜１Ｄを説明するための、ハードディスクをハードディスクキャリア装置に挿入後の底面図である。
【図４Ａ】実施例により、ラッチが係合し、且つハードディスクキャリア装置がロック位置に設置される図１Ａ〜図１Ｄのハードディスクキャリア装置の概略図である。
【図４Ｂ】図４ＡのＡ部を拡大した概略図である。
【図５】実施例により、シャーシ内のハードディスクスロットに挿入する前の図１Ａ〜図１Ｄのハードディスクキャリア装置の概略図である。
【図６】実施例により、シャーシ内のハードディスクスロットに挿入する図１Ａ〜図１Ｄのハードディスクキャリア装置の概略図である。
【図７Ａ】実施例により、図１Ａ〜図１Ｄのハードディスクキャリア装置がシャーシ内のハードディスクスロットに挿入された時における、ロック部材の係合関係の概略図である。
【図７Ｂ】図７ＡのＢ部を拡大した概略図である。
【図７Ｃ】図７ＡのＣ部を拡大した概略図である。
【図８】スライド可能にハードディスクキャリア装置のブラケットに連結するプレートの概略図である。
【図９】図１Ａ〜図１Ｄのハードディスクキャリア装置の部材を例示的に示す分解図である。
【図１０】ハードディスクキャリア装置をハードディスクスロットから取り外す場合の概略図である。
【図１１】ハンドルとブラケットと係合するために、スプリング搭載の他の工具不要な機構の概略図である。
【発明を実施するための形態】
【００１３】
本発明は添付図面を参照して説明され、同様の又は同等の要素は、図面全体にわたって同様の符号で表示される。図面は一定の縮尺で描かれておらず、単に本発明を例示するために提供されたものである。本発明のいくつかの実施態様は、例示的な実施例を参照して以下に記載される。本発明の完全な理解を促すために特定の詳細、関係、及び方法が示されるが、当業者であれば、本発明がこれら特定の１つ又は複数の特徴なしでも実施できることは容易に理解するであろう。他の例では、本発明の主題が不明確になることを避けるように、周知の構造又は動作の詳細は省略する。本発明は、いくつかの動作が異なる順序及び／又は他の動作やイベントと同時に行うことも可能であるため、図示された動作やイベントの順序によって制限されない。さらに、本発明による方法を実施するために、図示された全ての動作又はイベントが必要とされるわけではない。
【００１４】
上述したように、コンピュータシステム用のハードディスクを効率的且つ確実に取り付け又は取り外すための手段を開発することには多大なメリットがあり、特に、次のようなメリットがある。
（１）コンピュータシステムにハードディスクを取り付けるための工具が必要ない、
（２）コンピュータシステム内のハードディスクの所要空間を最小化できる、そして
（３）ハードディスクの誤った取り付けによって、ハードディスク、コンピュータシステム、又はそれらの間のコネクタに損傷を与える可能性を防止又は減らすことができる。
【００１５】
上記のことを考慮して、本開示は、前述の要件に対処するコンピュータシステム及びそれからのコンピュータシステム用のハードディスクキャリアデサインを企図している。特に、本開示は、（１）技術者が簡単且つ確実にハードディスクをハードディスクキャリアに設置できるハードディスクキャリアデサイン、及び（２）技術者の労働と訓練を最小限にして、コンピュータシステムにハードディスクを機械的及び電気的に取り付けることができるコンピュータシステム用の対応ハードディスクスロットデサインを提供する。これらは、図１Ａ〜１Ｄに示される。
【００１６】
図１Ａ、図１Ｂ、図１Ｃ及び図１Ｄは、それぞれ一実施例によるハードディスクキャリア装置１００の上面斜視図、底面斜視図、上面図及び底面図である。図１Ａ〜図１Ｄに示すように、ハードディスクキャリア装置１００は、水平位置にハードディスク１０６を収容及び固定するための収容空間１０４を有するブラケット１０２と、ブラケット１０２にスライド可能に取り付けられ、ハンドル１２０に枢動可能に取り付けられたプレート１０３とを備える。ブラケットは、第一端１０２Ａ及び第二端１０２Ｂを有する。ハンドル１２０は、第二端１０２Ｂに配置されたロック部材１２６を有する。
【００１７】
図１Ａ〜図１Ｄの例示的な構成では、ハンドル１２０は、収容空間１０４を囲むことを可能にするように、リンケージ１２２によってブラケット１０２に取り付けられる。囲まれた収容空間１０４において、ハンドル１２０の回転角度１２４は決められる。リンケージ１２２は、第二端１０２Ｂに設置される。ハンドル１２０は、図１Ａに示されるロード位置と、図１Ｂに示されるロック位置との間で切り替えるように構成されることができる。ロック位置では、ハンドル１２０は、第一端１０２Ａに向かって移動される。図１Ａ〜１Ｄの構成では、ハンドル１２０は実質的に対称である。即ち、ハンドル１２０は、リンケージ１２２を介してブラケット１０２の各側に取り付けられることができる。リンケージ１２２は、作用力及び運動を制御するように本体に接続された部品である。リンケージ１２２は剛性であると考えられる。さらに、ハンドルは、枢動点９０（図１０を参照）を介してプレート１０３に枢動可能に取り付けられる。プレート１０３は、ブラケット１０２をスライド可能に包囲するハウジングとして機能することができる。枢動点９０がプレートをハンドル１２０に対して固定の方向に固定する場合に、リンケージ１２２の移動は、プレート１０３に対してブラケット１０２を引っ張る。リンケージ１２２内のリンク間の連結（ジョイントと呼ばれる）はスライドを提供する。リンケージ１２２は、剛性リンクの接続としてモデル化される。
【００１８】
ハンドル１２０は、リンケージ１２２及び枢動点９０によってブラケット１０２及びプレート１０３の各側面に取り付けられる。リンケージ１２２及び枢動点９０に基づいて、プレート１０３は、ガイドピン１０８、水平溝、又はリベット及びロット、例えばガイドピン１０３Ａ及び１０３Ｂによってブラケット１０２に対してスライドする。このような構成は、キャリア１００にハードディスク１０６を容易に設置するために提供される。ハンドル１２０がロード位置（図１Ａを参照）にある場合、リンケージ１２２は、ブラケット１０２を第一端１０２Ａに向けて位置決めするように延出される。特に、リンケージ１２２は、収容空間１０４内でのハードディスク１０６の初期配置に使用されることができる。ハンドル１２０がロック位置にある場合（図１Ｂを参照）、リンケージ１２２がブラケット１０２を第二端１０２Ｂに向けて位置決めするように係合されて、ハードディスク１０６をブラケット１０２内に固定する。
【００１９】
図８は、ブラケット１０２に対するプレート１０３を示す。プレート１０３は、ブラケット１０２の下で互いに接続されて、プレート１０３がブラケット１０２に対して一斉に動くようにすることができる。プレート１０３は、ガイドピン１０８、水平溝、又はピン挿入部及びピン保持部、例えばガイドピン１０３Ａ及び１０３Ｂによってブラケット１０２にスライド可能に取り付けられる。いくつかの実施例では、プレート１０３は、ブラケット１０２内に挿入されるように構成されたガイドピン１０８を有することができる。ブラケット１０２は、ハンドル１２０がロード位置からロック位置に切り替わる場合に、プレート１０３のガイドピン１０８が水平溝内にスライド可能にするように設置されて配置された水平溝を有することができる。これについては、後に詳述する。しかしながら、プレート１０３の構成は、図８に示すものに限定されず、他の方法で構成されることができ、同じ機能を提供することに留意されたい。例えば、プレート１０３は、ピン挿入部及びピン保持部によってブラケット１０２にスライド可能に取り付けられることができる。
【００２０】
リンケージ１２２は、様々な方法で実施されることができる。１つの例示的な構成が図１Ａ〜図１Ｄに示される。例示的な構成では、リンケージ１２２は、ブラケット１０２に枢動可能に取り付けられる。リンケージ１２２は、閉位置と開位置とを有する。開位置において、リンケージ１２２はブラケット１０２を第一端１０２Ａに向けて位置決めする。さらに、開位置にあるリンケージ１２２は水平線形状である。閉位置において、リンケージ１２２はブラケット１０２を第二端１０２Ｂに向けて位置決めする。さらに、閉位置のリンケージ１２２はＬ字形である。
【００２１】
留意すべきことは、本開示では、ブラケット１０２が第二端１０２Ｂに向けて配置された位置を考慮して、機械的なリンケージ以外の機構を用いてブラケット１０２内にハードディスク１０６を固定することを意図している。図１１に示されたような、例えば、工具不要なスプリング１２７を搭載した機構を提供し、ブラケット１０２を第二端１０２Ｂに向けて位置するように設置される。これらの機構は、例として提示され、限定のためではない。具体的には、本開示は、ブラケット１０２内にハードディスク１０６の固定を、上述の機構以外の機構を使用して達成され得ることも意図する。さらに、本開示は、ブラケット１０２が任意の機構の組み合わせを使用して第二端１０２Ｂに向けて配置され得ることを意図する。
【００２２】
ハンドル１２０をロック位置に固定するために、リンケージ１２２及びハンドル１２０は、ラッチ部材１２８及びロック部材１２６を備えることができる。図１Ａ〜図１Ｂの例示的な構成では、ラッチ部材１２８は、ハンドル１２０が水平位置にある場合に、対応ロック部材１２８Ｂと係合するスプリングラッチとして構成される。スプリングラッチが解放されると、ラッチ部材１２８は対応ロック部材１２８Ｂを解放する。対応ロック部材１２８Ｂと係合すると、ハンドル１２０はロック位置にある。しかしながら、本開示は、ラッチ部材１２８として任意のタイプの機構が使用され得ることを意図している。さらに、例示的なハードディスクキャリア装置１００は、ハンドル１２０の第一端１０２Ａに単一のラッチ部材１２８のみを示すが、本開示は、ロック部材の数量及び位置が変化し得ることを意図する。例えば、ハンドル１２０をロック位置に固定するためのロック部材は、いずれかの側に配置することができる。
【００２３】
図１Ａ〜１Ｂの例示的な構成では、ロック部材１２６は、ハードディスクスロットに配置された対応ロック部材５０４（図７Ａ〜図７Ｃを参照）と係合するフック部として構成される。例示的なハードディスクキャリア装置１００は、ハンドル１２０の第二端１０２ＢにＵ字形の凹部のみを示しているが、本開示は、他の構成も採用され得ることを意図する。ハンドル１２０及びロック部材１２６の使用及び動作については、以下でより詳細に説明する。
【００２４】
次に図２、図３を参照すると、ハードディスクキャリア装置１００において、ハードディスク１０６は、複数のガイドピン１０８を使用して固定される。複数のガイドピン１０８は、ハードディスク１０６の開口部又は窪み１１０に対応するようにハードディスクキャリア装置１００内に配置される。例えば、図２に示す構成では、窪み１１０は、ハードディスク用の標準ネジ孔である。しかしながら、様々な実施例は、これに関して限定されず、複数のガイドピン１０８及び１１０は、ハードディスクの他の任意の特徴に対応するように構成されることができる。
【００２５】
図２、図３において、図１Ａ〜図１Ｄのハードディスクキャリア装置１００のいくつかの態様の動作を示す。図２は、ハードディスクを挿入した後、ハードディスク１０６をハードディスクキャリア装置１００に固定する前の図１のハードディスクキャリア装置１００を示す。図２は、ハードディスク１０６を挿入した後、ハードディスク１０６をハードディスクキャリア装置１００に固定する前の図１のハードディスクキャリア装置１００を示す。図３は、ハードディスクがハードディスクキャリア装置１００に固定され、ハンドル１２０をロック位置に位置決めされる前の図１のハードディスクキャリア装置１００の底面図を示す。
【００２６】
再び図１Ａを参照すると、ラッチ部材１２８がハンドル１２０の第一端１０２Ａに係合されず、且つハンドル１２０がロード位置にある場合に、ハードディスク１０６が収容空間１０４に挿入される。従って、ハードディスク１０６は、ブラケット１０２のガイドピン１０８、第一端１０２Ａ及び第二端１０２Ｂ、及びブラケット１０２に対して移動するプレート１０３の位置に基づいて収容空間１０４内に位置決めされる。この構成を図１Ａに示す。図１Ａの構成は、ハンドル１２０が回転角度１２４において鋭角であることを示しているが、ハードディスク１０６を収容空間１０４にロードする際のハンドル１２０の位置は、ハードディスクキャリア装置１００の長さ、構成及び他の構成要素に依存して変化し得る。
【００２７】
図４Ａ及び図４Ｂを参照すると、ラッチ部材１２８は、ハンドル１２０が水平位置にある場合に対応ロック部材１２８Ｂに係合し、且つラッチ部材１２８が解放された場合に対応ロック部材から解放される、ロード位置及びロック位置になるように構成されることができる。例えば、ラッチ部材１２８は、第一端１０２Ａで対応ロック部材１２８Ｂと係合する固定プロング４１４を備えることができる。本発明のいくつかの実施例では、ハードディスクキャリア装置１００の第一端１０２Ａは、固定プロング４１４と係合するように適合する固定孔（図示せず）を有することができる。そして、ラッチ部材１２８を押すと、固定プロング４１４が第一端１０２Ａの固定孔から外され、ハンドル１２０をロード位置に持ち上げることができる。本発明のいくつかの実施例では、ラッチ部材１２８は、第一端１０２Ａで対応ロック部材１２８Ｂに係合又は係合解除後に元の位置に戻るためのスプリングを搭載し得る。
【００２８】
以上、ハードディスクキャリア装置１００の構成及び動作について説明した。本開示では、続いてハードディスクキャリア装置１００を収容するためのハードディスクスロットの構成及び動作について、図５、図６、及び図７Ａ〜図７Ｃに関連して以下に説明される。
【００２９】
図５、図６、図７Ａ〜図７Ｃは、一実施例によるシャーシ５００内のハードディスクスロット５０２に挿入され、且つロード位置に構成された図１Ａ〜図１Ｄのハードディスクキャリア装置１００を示す。図６は、図６のハードディスクスロット５０２内のハードディスクキャリア装置１００の詳細図である。
【００３０】
ハードディスクキャリア装置１００は、計算装置のハードディスクスロット５０２に挿入するように構成される。計算装置は、独立なコンピュータ、サーバ、又は任意のタイプの計算装置とすることができる。ハードディスクスロット５０２は、ロック部材５０４と、ハードディスクコネクタ５０６とを備える。ハードディスクスロット５０２は、シャーシ又はハウジング（明確にするために図示せず）に配置することができる。
【００３１】
図７Ａ〜図７Ｃは、一実施例によるハードディスクスロット５０２に挿入され、且つロック位置に構成された図１のハードディスクキャリア装置１００を示す。ロック位置において、ハードディスクキャリア装置１００は、図７Ａに示すように、ハンドル１２０が水平位置になるように構成される。図７Ａ〜図７Ｃにさらに示されるように、ハンドル１２０に接続されたロック部材１２６は、ハードディスクスロット５０２のロック部材５０４と係合する。さらに、ブラケット１０２に接続されたハンドル１２０は、ハードディスク１０６を収容空間１０４内に固定する。この構成では、ハードディスクキャリア装置１００のロック部材１２６と、ハードディスクスロット５０２のロック部材５０４との相互作用より、ハードディスクスロット５０２のコネクタをハードディスク１０６のコネクタに係合させる。
【００３２】
図７Ａ〜図７Ｃの例示的な構成では、ロック部材１２６は、ハンドル１２０が水平位置にある場合に対応するノブと係合するＵ字型フックとして構成されている。しかしながら、本開示は、ロック部材１２６及び対応ロック部材５０４に対して、任意の他のタイプの機構が使用され得ることを意図する。例えば、ロック部材１２６及び対応ロック部材５０４は、ガイドレール及び対応する窪み、ハードディスクキャリア装置１００のブラケット１０２上に配置された複数のガイドピン、及び他の構成も採用され得る。このプロセスは、以下により詳細に説明される。
【００３３】
図１Ａ〜図１Ｄのハードディスクキャリア装置１００がハードディスクスロット５０２に挿入された後のロード位置からロック位置への切り替えを説明する際に、図１Ａ、図１Ｂ及び図１０を参照する。ハードディスクキャリア装置１００及びハードディスクスロット５０２の特徴を表示するいくつかの参照符号は、不明瞭な詳細を避ける又は説明や図示を明確にするために省略される。ただし、これらの特徴は前の図と同じ特徴に対応している。
【００３４】
図１Ａは、ロード位置にあるハードディスクキャリア装置１００を示す。ロード位置では、ハンドル１２０は垂直位置にあり、すなわちハードディスクスロット５０２から離れるように延出している。上述のように、ハンドル１２０は、枢動点９０を介してリンケージ１２２及びプレート１０３を介してブラケット１０２の各側部に取り付けられるので、ブラケット１０２はプレート１０３から独立して移動する。ハンドル１２０とプレート１０３とを連結する枢動点９０により、プレート１０３はブラケット１０２に対して固定である。ハンドル１２０の位置は、プレート１０３に対するブラケット１０２の位置を変化させる。ロード位置において、リンケージ１２２は、ハードディスクスロット５０２とほぼ平行である。したがって、ブラケット１０２は、第一端１０２Ａに向けて配置され、ハードディスク１０６を収容空間１０４に挿入するための十分な空間を提供する。この位置において、ハードディスク１０６又はハードディスクキャリア装置１００のいずれも、ハードディスクスロット５０２のハードディスクコネクタ５０６に係合しない。
【００３５】
ハンドル１２０が回転され、ロック部材１２６が対応ロック部材５０４に係合されると、リンケージ１２２及び枢動点９０は、ブラケット１０２及びハードディスク１０６を収容空間１０４内に閉位置に向けて配置される。プレート１０３の位置は、枢動点９０によりハンドル１２０及びブラケット１０２に対して固定されるため、リンケージ１２２によって加えた力は、ブラケット１０２の水平運動に転換され、次いでハードディスクキャリア装置１００内のハードディスク１０６の水平運動に転換される。特に、この作用力は、図１Ｂに示すように、リンケージ１２２がブラケット１０２を移動し、ハードディスクキャリア装置１００内のハードディスク１０６を完全に囲む原因となる。ブラケット１０２及び収容空間１０４の水平運動はまた、ハードディスク１０６をハードディスクコネクタ５０６に向かって移動させる。
【００３６】
ここで図１Ｂを参照すると、ロック位置は、ハンドル１２０が完全にロックされた（水平）位置に来ると、リンケージ１２２はブラケット１０２に対して付勢し続けることにより、ハードディスクキャリア装置１００内のハードディスク１０６のさらなる水平移動を促す。図１Ｂの例示的な構成では、ハンドル１２０、ハードディスク１０６、ハードディスクコネクタ５０６、ハードディスクキャリア装置１００、ロック部材１２６、及び対応ロック部材５０４は、ハンドル１２０が一旦ロック位置にあると：（１）ロック部材１２６と５０４が互いに係合してハンドル１２０の動きを（いずれかの方向で）防止し、（２）ハードディスクコネクタ５０６は、ハードディスク１０６をハードディスクスロット５０２に関連付けられたコンピュータシステムに接続するように、ハードディスク１０６上の対応コネクタと係合する。この時点で、ブラケット１０２及びハードディスク１０６は安定に係合されているので、ハードディスクコネクタ５０６及びハードディスク１０６上の対応コネクタは、どちらのコネクタの損傷も心配することなく、安全かつ確実に係合することができる。
【００３７】
図９は、ブラケット１０２、プレート１０３及びハンドル１２０を備えるハードディスクキャリア装置１００の主要部品を理解するために提供された分解図である。図１０は、ハードディスクスロット５０２からハードディスクキャリア装置１００を取り外す場合の概略図である。ハードディスクキャリア装置１００をハードディスクスロット５０２から取り外す処理はその逆である。最初に、ラッチ部材１２８とロック部材１２６との係合が解除され、ハンドル１２０をロード位置に向けて位置決めする。係合解除する時には、ロック部材１２６及び５０４もまた互いに離脱して、ハードディスクキャリア装置１００を移動させることができる。その後、ハンドル１２０は、ロック位置からロード位置に切り替え、これにより、リンケージ１２２がブラケット１０２に対して付勢し、ブラケット１０２と接続された収容空間１０４の反対方向への水平移動を促す。ブラケット１０２及び接続された収容空間１０４のこの水平運動は、枢動点９０を介してプレート１０３から独立する。この場合、水平運動により、ハードディスクコネクタ５０６は、ハードディスク１０６の対応コネクタから安全に外す。ハンドル１２０がロード位置にあると、ハードディスクキャリア装置１００をハードディスクスロット５０２から持ち上げることができる。
【００３８】
以上、本発明の様々な実施形態を説明したが、それらは例示にすぎず、限定ではなく、例示として提示されたものであることを理解されたい。開示された実施例に対する多数の変更が、本発明の趣旨又は範囲から逸脱することなく、本明細書の開示に従って行うことができる。したがって、本発明の範囲及び範囲は、上記いずれかの実施形態によって限定されるべきではない。むしろ、本発明の範囲は、以下の特許請求の範囲及びその同等の範囲に従って定義されるべきである。
【００３９】
本発明は、１つ又は複数の実施に関して図示及び説明されているが、本明細書及び添付の図面を理解すると、当業者には同等の変更及び修正がなされるであろう。さらに、本発明の特定の特徴は、いくつかの実施のうち１つだけ開示されているかもしれないが、このような特徴は、所要又は特定の用途に対応するように、他の実施例に記載された１つ又は複数の他の特徴と組み合わせることができる。
【００４０】
本明細書で使用する用語は、特定の実施例のみを説明するためのものであり、本発明を限定するものではない。本明細書で使用されるように、単数形「１つ（ａ）」、「１つ（ａｎ）」及び「１つ（ｔｈｅ）」は、文脈に明示されていない限り、複数形も含むことが意図される。さらに、「備える（ｉｎｃｌｕｄｉｎｇ）」、「備える（ｉｎｃｌｕｄｅｓ）」、「有する（ｈａｖｉｎｇ）」、「有する（ｈａｓ）」、「有する（ｗｉｔｈ）」、又はそれらの変形が、詳細な説明及び／又は特許請求の範囲において使用される限り、そのような用語は、「備える（ｃｏｍｐｒｉｓｉｎｇ）」という用語と同様、包括的であることを意図する。
【００４１】
他に定義されない限り、本明細書で使用される全ての用語（技術用語及び科学用語を含む）は、本発明が属する技術分野の当業者によって一般的に理解されるのと同じ意味を有する。さらに、一般に使用される辞書に定義されているような用語は、関連技術の文脈における意味と一致する意味を有するものとして解釈されるべきであり、本明細書で明示的に定義されていない限り、理想化された又は過度に形式的な意味で解釈されることはないと理解されるであろう。
【符号の説明】
【００４２】
１００  ハードディスクキャリア装置、
１０２  ブラケット、
１０２Ａ  第一端、
１０２Ｂ  第二端、
１０３  プレート、
１０３Ａ、１０３Ｂ  ガイドピン、
１０４  収容空間、
１０６  ハードディスク、
１０８  ガイドピン、
１１０  窪み、
１２０  ハンドル、
１２２  リンケージ、
１２４  回転角度、
１２６  ロック部材、
１２７  スプリング、
１２８  ラッチ、
１２８Ｂ  対応ロック部材、
４１４  固定プロング、
５００  シャーシ、
５０２  ハードディスクスロット、
５０４  対応ロック部材、
５０６  ハードディスクコネクタ、
９０  枢動点。
【図１Ａ】
2018113094.tif 000003
【図１Ｂ】
2018113094.tif 000004
【図１Ｃ】
2018113094.tif 000005
【図１Ｄ】
2018113094.tif 000006
【図２】
2018113094.tif 000007
【図３】
2018113094.tif 000008
【図４Ａ】
2018113094.tif 000009
【図４Ｂ】
2018113094.tif 000010
【図５】
2018113094.tif 000011
【図６】
2018113094.tif 000012
【図７Ａ】
2018113094.tif 000013
【図７Ｂ】
2018113094.tif 000014
【図７Ｃ】
2018113094.tif 000015
【図８】
2018113094.tif 000016
【図９】
2018113094.tif 000017
【図１０】
2018113094.tif 000018
【図１１】
2018113094.tif 000019